(57)【要約】【課題】  ＡＶアンプが電源オフ状態であり、ディスプレイ装置が電源オン状態である場合に、ディスプレイ装置内の５Ｖ電源ラインから供給される電源電圧がＨＤＭＩ受信部の５Ｖ電源端子に供給されることを阻止する。【解決手段】  ＡＶアンプが電源オフ状態であり、ディスプレイ装置が電源オン状態である場合に、トランジスタＱ１をオフ状態にすることにより、ディスプレイ装置２０の５Ｖ電源ライン２７から５Ｖ電源ライン１７に供給される電源電圧が、ＨＤＭＩ受信部１１の５Ｖ電源端子に供給されることを阻止する。ＡＶアンプ１０が電源オン状態である場合に、トランジスタＱ１をオン状態にすることにより、ＡＶアンプ１０の電源回路からの電源電圧がＨＤＭＩ受信部１１の５Ｖ電源端子に供給されることを許可する。【選択図】図１
2011164943.tif 000002
【特許請求の範囲】
【請求項１】
第２電源電圧ラインを有する第２電子機器に接続可能な電子機器であって、
電源端子を有する電子回路と、
前記電源端子とスイッチ手段を介して接続されており、前記第２電源電圧ラインと接続可能な電源電圧ラインと、
前記電子機器が電源オフ状態であり、前記第２電子機器が電源オン状態である場合に、前記電子機器内の電源回路から電源電圧が供給されていないことを検知し、前記スイッチ手段を開放状態にすることにより、前記第２電源ラインから前記電源ラインに供給される電源電圧が、前記電源端子に供給されることを阻止し、前記電子機器が電源オン状態である場合に、前記電子機器内の電源回路から電源電圧が供給されていることを検知し、前記スイッチ手段を導通状態にすることにより、前記電子機器内の電源回路からの電源電圧が前記電源端子に供給されることを許可する供給制御手段とを備える、電子機器。
【請求項２】
第２電源電圧ライン及び第２データ通信ラインを有する第２電子機器に接続可能な電子機器であって、
電源端子を有する電子回路と、
前記電源端子とスイッチ手段を介して接続されており、前記第２電源電圧ラインと接続可能な電源電圧ラインと、
前記電源電圧ラインに接続されており、前記第２データ通信ラインと接続可能なデータ通信ラインと、
前記電子機器が電源オフ状態であり、前記第２電子機器が電源オン状態である場合に、前記電子機器内の電源回路から電源電圧が供給されていないことを検知し、前記スイッチ手段を開放状態にすることにより、前記第２データ通信ラインから前記データ通信ラインに供給される電源電圧が、前記電源電圧ラインを介して、前記電源端子に供給されることを阻止し、前記電子機器が電源オン状態である場合に、前記電子機器内の電源回路から電源電圧が供給されていることを検知し、前記スイッチ手段を導通状態にすることにより、前記電子機器内の電源回路からの電源電圧が前記電源端子に供給されることを許可する供給制御手段とを備える、電子機器。
【請求項３】
前記スイッチ手段がトランジスタを含み、
前記供給制御手段が、カソードが前記トランジスタの制御電極に接続され、アノードが接地電位に接続制御されているツェナーダイオードを含み、
前記電子機器が電源オフ状態であり、前記第２電子機器が電源オン状態である場合に、前記ツェナーダイオードに電流が流れないことにより、前記トランジスタがオフ状態になり、
前記電子機器が電源オン状態である場合、前記ツェナーダイオードに電流が流れることにより、前記トランジスタがオン状態になる、請求項１または２に記載の電子機器。
【発明の詳細な説明】
【技術分野】
【０００１】
本発明は、第２電源電圧ラインを有する第２電子機器に接続可能な電子機器に関する。
【背景技術】
【０００２】
近年、映像データや音声データといったコンテンツデータを供給するソース機器と、コンテンツデータを受信するシンク機器やリピータ機器といったコンテンツ受信装置とで構成されるＡＶシステムが普及している。ソース機器は、例えば、ＤＶＤプレーヤ、ブルーレイディスクプレーヤ等である。また、シンク機器は、例えば、ＬＣＤ（Liquid Crystal Display）、ＰＤＰ（Plasma Display Panel）、プロジェクタ等である。リピータ機器は、例えば、ＡＶアンプや、ＡＶレシーバである。これらの機器は、ＨＤＭＩ規格に準拠しており、ＨＤＭＩケーブルを介して相互に接続される。
【０００３】
図４は、ＡＶアンプ１１０の要部を説明する概略ブロック図である。ＡＶアンプ１１０は、ＨＤＭＩ受信部１１と、ＨＤＭＩ送信部１２と、制御部１３と、コネクタ１４、１５とを備えている。コネクタ１４にはＨＤＭＩケーブルを介して、例えばＤＶＤプレーヤが接続される。コネクタ１５にはＨＤＭＩケーブルを介して、例えばディスプレイ装置２０が接続される。
【０００４】
ＡＶアンプ１１０は、ＨＤＭＩのラインとして、主に、ＤＤＣライン１６、および５Ｖ電源ライン１７などを含む。ＤＤＣライン１６は、ディスプレイ装置２０に関する情報（ＥＤＩＤ、認証情報等）をＡＶアンプ１１０がディスプレイ装置２０から取得し、ディスプレイ装置２０と認証するためのラインである。５Ｖ電源ライン１７は、ディスプレイ装置２０の５Ｖ電源ラインに接続され、５Ｖ電源電圧をディスプレイ装置２０に供給する。５Ｖ電源回路（図４では単に５Ｖ電源と記載する。）は、５Ｖ電源ライン１７に５Ｖ電源電圧を供給する電源回路と、ＨＤＭＩ受信部１１の５Ｖ電源端子に５Ｖ電源電圧を供給する電源回路として兼用されている。
【０００５】
図６は、ディスプレイ装置２０の要部を説明する概略ブロック図である。ディスプレイ装置２０は、ＨＤＭＩ受信部２１と、制御部２３と、コネクタ２５とを有する。また、ディスプレイ装置２０は、ＤＤＣライン２６及び５Ｖ電源ライン２７を有する。コネクタ２５にはＨＤＭＩケーブルを介して、例えばＡＶアンプ１１０のコネクタ１５が接続される。
【０００６】
図４に戻って、ＡＶアンプ１１０が電源オフ状態のときには５Ｖ電源回路がオフ状態になっているので、５Ｖ電源端子には５Ｖ電源電圧が５Ｖ電源ラインを介して供給されず、ＡＶアンプ１１０が電源オン状態のときには５Ｖ電源回路がオン状態になっているので、５Ｖ電源端子に５Ｖ電源電圧が５Ｖ電源ラインを介して供給される。ＡＶアンプ１１０が電源オフ状態から電源オン状態に移行した際に、５Ｖ電源ラインから５Ｖ電源電圧が５Ｖ電源端子に供給開始されることにより、ＨＤＭＩ受信部１１はリセット動作を実行し、制御部１３との間で通信を開始することができる。
【０００７】
ここで、ＡＶアンプ１１０が電源オフ状態であり、ディスプレイ装置２０が電源オン状態の場合には以下の問題が生じる。図６の波線に示すように、ディスプレイ装置２０において、５Ｖ電源回路（または３．３Ｖ電源回路）から供給される電源電圧が抵抗Ｒ２２、ＤＤＣライン２６、抵抗Ｒ２１および５Ｖ電源ライン２７を介して、ＡＶアンプ１１０の５Ｖ電源ライン１７へと供給される。この電源電圧は、５Ｖ電源電圧（または３．３Ｖ電源電圧）が抵抗Ｒ２１、Ｒ２２などによって電圧降下され、約１．５〜２．５Ｖになっている。図４の波線に示すように、ディスプレイ装置２０から５Ｖ電源ライン１７に供給された電源電圧は、５Ｖ電源ライン１７を介してＨＤＭＩ受信部１１の５Ｖ電源端子へと供給される。すなわち、ＡＶアンプ１１０が電源オフ状態であるので、本来であれば、５Ｖ電源端子には電源電圧が供給されないはずであるが、ディスプレイ装置２０側から漏れだしてくる電源電圧が５Ｖ電源端子に常時供給される状態になっている。その結果、ＡＶアンプ１１０が電源オフ状態から電源オン状態に移行した際に、ＡＶアンプ１１０の５Ｖ電源回路から５Ｖ電源ライン１７を介して５Ｖ電源端子に５Ｖ電源電圧が供給されるようになっても、ＨＤＭＩ受信部１１はディスプレイ装置２０側から漏れだしてくる電源電圧が常時供給される状態になっていたために、正常にリセット動作を実行することができず、制御部１３との間で正常に通信することができない。
【０００８】
この問題は、ＨＤＭＩ受信部１１の代わりにＨＤＭＩ送信部１２または制御部１３が５Ｖ電源端子を有し、５Ｖ電源端子に電源電圧が供給されることによってリセット動作を実行する場合にも同様に生じる。また、ＡＶアンプ１１０ではなく、ＤＶＤプレーヤのようなソース機器においても同様の問題が生じる。
【０００９】
また、図７に示すように、ディスプレイ装置３０の内部回路２８から漏れだしてくる電圧が５Ｖ電源ライン２７を介して、ＡＶアンプ１１０の５Ｖ電源ライン１７に供給される場合にも同様の問題が生じる。
【００１０】
また、図８の波線に示すように、ディスプレイ装置２０において、５Ｖ電源回路から供給される電源電圧が抵抗Ｒ２２、ＤＤＣライン２６を介して、ＡＶアンプ１１０のＤＤＣライン１６へと供給される。この電源電圧は、５Ｖ電源電圧（または３．３Ｖ電源電圧）が抵抗Ｒ２２などによって電圧降下され、約１．５〜２．５Ｖになっている。図５の波線に示すように、ディスプレイ装置２０からＤＤＣライン１６に供給された電源電圧は、５Ｖ電源ライン１７を介してＨＤＭＩ受信部１１の５Ｖ電源端子へと供給される。すなわち、ＡＶアンプ１１０が電源オフ状態であるので、本来であれば、５Ｖ電源端子には電源電圧が供給されないはずであるが、ディスプレイ装置２０側から漏れだしてくる電源電圧が５Ｖ電源端子に常時供給される状態になっている。従って、この場合にも上記と同様の問題が生じる。
【先行技術文献】
【特許文献】
【００１１】
【特許文献１】特開２００９−１４０３６５号公報
【発明の概要】
【発明が解決しようとする課題】
【００１２】
本発明の目的は、電子機器が電源オフ状態であり、第２電子機器が電源オン状態である場合に、第２電子機器内の第２電源電圧ラインから供給される電源電圧が電子回路の電源端子に供給されることを阻止する電子機器を提供することである。
【００１３】
本発明の他の目的は、電子機器が電源オフ状態であり、第２電子機器が電源オン状態である場合に、第２電子機器内の第２データ通信ラインから供給される電源電圧が電子回路の電源端子に供給されることを阻止する電子機器を提供することである。
【００１４】
本発明は、上記いずれかの目的を達成するためになされたものである。
【課題を解決するための手段】
【００１５】
本発明の好ましい実施形態による電子機器は、第２電源電圧ラインを有する第２電子機器に接続可能な電子機器であって、電源端子を有する電子回路と、前記電源端子とスイッチ手段を介して接続されており、前記第２電源電圧ラインと接続可能な電源電圧ラインと、前記電子機器が電源オフ状態であり、前記第２電子機器が電源オン状態である場合に、前記電子機器内の電源回路から電源電圧が供給されていないことを検知し、前記スイッチ手段を開放状態にすることにより、前記第２電源ラインから前記電源ラインに供給される電源電圧が、前記電源端子に供給されることを阻止し、前記電子機器が電源オン状態である場合に、前記電子機器内の電源回路から電源電圧が供給されていることを検知し、前記スイッチ手段を導通状態にすることにより、前記電子機器内の電源回路からの電源電圧が前記電源端子に供給されることを許可する供給制御手段とを備える。
【００１６】
電子機器が電源オフ状態であり、第２電子機器が電源オン状態である場合に、第２電源電圧ラインから電源電圧ラインに供給される電源電圧が、スイッチ手段で阻止されて電子回路の電源端子に供給されない。そして、電子機器が電源オン状態になると、電子機器内の電源回路からの電源電圧がスイッチ手段を介して電子回路の電源端子に供給されるようになる。従って、電子回路は正常にリセット動作を実行することができる。
【００１７】
本発明の好ましい実施形態による電子機器は、第２電源電圧ライン及び第２データ通信ラインを有する第２電子機器に接続可能な電子機器であって、電源端子を有する電子回路と、前記電源端子とスイッチ手段を介して接続されており、前記第２電源電圧ラインと接続可能な電源電圧ラインと、前記電源電圧ラインに接続されており、前記第２データ通信ラインと接続可能なデータ通信ラインと、前記電子機器が電源オフ状態であり、前記第２電子機器が電源オン状態である場合に、前記電子機器内の電源回路から電源電圧が供給されていないことを検知し、前記スイッチ手段を開放状態にすることにより、前記第２データ通信ラインから前記データ通信ラインに供給される電源電圧が、前記電源電圧ラインを介して、前記電源端子に供給されることを阻止し、前記電子機器が電源オン状態である場合に、前記電子機器内の電源回路から電源電圧が供給されていることを検知し、前記スイッチ手段を導通状態にすることにより、前記電子機器内の電源回路からの電源電圧が前記電源端子に供給されることを許可する供給制御手段とを備える。
【００１８】
電子機器が電源オフ状態であり、第２電子機器が電源オン状態である場合に、第２データ通信ラインからデータ通信ラインを介して電源電圧ラインに供給される電源電圧が、スイッチ手段で阻止されて電子回路の電源端子に供給されない。そして、電子機器が電源オン状態になると、電子機器内の電源回路からの電源電圧がスイッチ手段を介して電子回路の電源端子に供給されるようになる。従って、電子回路は正常にリセット動作を実行することができる。
【００１９】
好ましい実施形態においては、前記スイッチ手段がトランジスタを含み、前記供給制御手段が、カソードが前記トランジスタの制御電極に接続され、アノードが接地電位に接続制御されているツェナーダイオードを含み、前記電子機器が電源オフ状態であり、前記第２電子機器が電源オン状態である場合に、前記ツェナーダイオードに電流が流れないことにより、前記トランジスタがオフ状態になり、前記電子機器が電源オン状態である場合、前記ツェナーダイオードに電流が流れることにより、前記トランジスタがオン状態になる。
【発明の効果】
【００２０】
電子機器が電源オフ状態であり、第２電子機器が電源オン状態である場合に、第２電子機器内の第２電源電圧ラインから供給される電源電圧が電子回路の電源端子に供給されることを阻止する電子機器を提供することができる。または、電子機器が電源オフ状態であり、第２電子機器が電源オン状態である場合に、第２電子機器内の第２データ通信ラインから供給される電源電圧が電子回路の電源端子に供給されることを阻止する電子機器を提供することができる。
【図面の簡単な説明】
【００２１】
【図１】本発明の好ましい実施形態によるＡＶアンプ１０（電子機器、コンテンツ送信装置）を示すブロック図である。
【図２】本発明の別の好ましい実施形態によるＡＶアンプ１０Ｂ（電子機器、コンテンツ送信装置）を示すブロック図である。
【図３】本発明の別の好ましい実施形態によるＡＶアンプ１０Ｃ（電子機器、コンテンツ送信装置）を示すブロック図である。
【図４】従来のＡＶアンプ１１０を示すブロック図である。
【図５】従来のＡＶアンプ１１０を示すブロック図である。
【図６】ディスプレイ装置２０（第２電子機器、コンテンツ受信装置）を示すブロック図である。
【図７】ディスプレイ装置３０（第２電子機器、コンテンツ受信装置）を示すブロック図である。
【図８】ディスプレイ装置２０（第２電子機器、コンテンツ受信装置）を示すブロック図である。
【発明を実施するための形態】
【００２２】
以下、本発明の好ましい実施形態について説明する。コンテンツ送信装置（電子機器ともいう。）は、ディスプレイ装置、プロジェクタ等のコンテンツ受信装置（第２電子機器ともいう。）（シンク機器）に、コンテンツデータ（映像データ及び／又は音声データ）を送信する機器であり、ＡＶアンプ、ＡＶレシーバ等のリピータ機器や、ＤＶＤプレーヤ、ブルーレイディスクプレーヤ等のソース機器である。本例では、コンテンツ送信装置はＡＶアンプである。
【００２３】
図１は、ＡＶアンプ１０の要部を説明する概略ブロック図である。ＡＶアンプ１０は、ＨＤＭＩ（High-Definition Multimedia Interface）規格に準拠している。ＡＶアンプ１０は、ＨＤＭＩ受信部１１と、ＨＤＭＩ送信部１２と、制御部１３と、コネクタ１４、１５と、供給制御手段１８とを備えている。コネクタ１４にはＨＤＭＩケーブルを介して、例えばＤＶＤプレーヤが接続される。コネクタ１５にはＨＤＭＩケーブルを介して、例えばディスプレイ装置２０（図５参照）、又は、３０（図６参照）が接続される。
【００２４】
ＡＶアンプ１０は、ＨＤＭＩのラインとして、ホットプラグライン（図示せず）、ＤＤＣライン（データ通信ライン）１６、ＴＭＤＳライン（図示せず）、及び、５Ｖ電源ライン（電源電圧ライン）１７を有する。ＤＤＣライン１６は、ＨＤＭＩケーブルのＤＤＣラインを介して、ディスプレイ装置２０のＤＤＣライン２６（第２データ通信ライン）に接続可能である。５Ｖ電源ライン１７は、ＨＤＭＩケーブルの５Ｖ電源ラインを介して、ディスプレイ装置２０の５Ｖ電源ライン２７（第２電源電圧ライン）に接続可能である。ＤＤＣライン１６と５Ｖ電源ライン１７とは抵抗Ｒ１を介して接続されている。
【００２５】
ＤＤＣ（Display Data
Channel）ライン１６は、ディスプレイ装置２０に関する情報（認証情報、ＥＤＩＤ（Extended Display Identification Data））をＡＶアンプ１０がディスプレイ装置２０から取得するためのラインである。
【００２６】
ＴＭＤＳ（Transition
Minimized Differential Signaling）ラインは、ＡＶアンプ１０からディスプレイ装置２０にＨＤＭＩ規格に準拠したコンテンツデータ（以下、ＨＤＭＩデータという。）を送信するためのラインである。
【００２７】
５Ｖ電源ライン１７は、ＡＶアンプ１０の５Ｖ電源回路（図１では、単に５Ｖ電源と記載している。）から５Ｖ電源電圧が供給され、ディスプレイ装置２０の５Ｖ電源ライン２７に５Ｖ電源電圧を供給する。５Ｖ電源回路は、５Ｖ電源ラインと、ＨＤＭＩ受信部１１の５Ｖ電源端子とに５Ｖ電源電圧を供給する。つまり、５Ｖ電源ライン１７は、供給制御手段１８の後述するスイッチ手段を介して、ＨＤＭＩ受信部１１の５Ｖ電源端子に接続されている。
【００２８】
制御部１３は、ＡＶアンプ１０の各部を制御するものであり、マイコンやＣＰＵ等である。
【００２９】
ＨＤＭＩ受信部１１は、ＤＶＤプレーヤから送信されたＨＤＭＩデータを受信する。また、ＨＤＭＩ受信部１１は、受信したＨＤＭＩデータから元の映像データ（ＨＤＭＩ変換前の映像データ）を生成して、ＨＤＭＩ送信部１２に供給する。また、ＨＤＭＩ受信部１１は、受信したＨＤＭＩデータから元の音声データを生成して、図示しない音声処理部に供給する。
【００３０】
ＨＤＭＩ受信部１１は、供給制御手段１８を介して、５Ｖ電源ライン１７及び５Ｖ電源回路が接続される５Ｖ電源端子を有する。ＡＶアンプ１０が電源オフ状態（スタンバイ状態の場合を含む、以下同様。）のときには５Ｖ電源回路がオフ状態になっているので、５Ｖ電源端子には５Ｖ電源電圧が供給されず、ＡＶアンプ１０が電源オン状態のときには５Ｖ電源回路がオン状態になっているので、５Ｖ電源端子に５Ｖ電源電圧が供給される。ＡＶアンプ１０が電源オフ状態から電源オン状態に移行した際に、５Ｖ電源回路からの５Ｖ電源電圧が、５Ｖ電源ライン１７および供給制御手段１８を介して、５Ｖ電源端子に供給開始されることにより、ＨＤＭＩ受信部１１はリセット動作を実行し、制御部１３との間で通信を開始することができる。
【００３１】
ＨＤＭＩ送信部１２は、ＨＤＭＩ受信部１１から供給された映像データ、および、必要に応じて図示しない音声処理部から供給された音声データを、ＨＤＭＩデータに変換する。ＨＤＭＩ送信部１２は、コネクタ部１５を介してディスプレイ装置２０にＨＤＭＩデータを送信する。
【００３２】
供給制御手段１８は、ＡＶアンプ１０が電源オフ状態であり、ディスプレイ装置２０が電源オン状態である場合において、ＡＶアンプ１０の５Ｖ電源回路から５Ｖ電源電圧が５Ｖ電源ライン１７に供給されていないことを検出し、スイッチ手段を開放状態にすることにより、ディスプレイ装置２０の５Ｖ電源ライン２７からＡＶアンプ１０の５Ｖ電源ライン１７に供給される電源電圧が、ＨＤＭＩ受信部１１の５Ｖ電源端子に供給されることを阻止する。同様に、供給制御手段１８は、スイッチ手段を開放状態にすることにより、ディスプレイ装置２０のＤＤＣライン２６からＡＶアンプ１０のＤＤＣライン１６に供給される電源電圧が、５Ｖ電源ライン１７を介して、ＨＤＭＩ受信部１１の５Ｖ電源端子に供給されることを阻止する。
【００３３】
また、供給制御手段１８は、ＡＶアンプ１０が電源オン状態である場合において、ＡＶアンプ１０の５Ｖ電源回路から５Ｖ電源電圧が５Ｖ電源ライン１７に供給されていることを検出し、スイッチ手段を導通（閉成）状態にすることにより、ＡＶアンプ１０の５Ｖ電源回路から５Ｖ電源ライン１７に供給される電圧が、ＨＤＭＩ受信部１１の５Ｖ電源端子に供給されることを許可する。
【００３４】
供給制御手段１８は、スイッチ手段であるトランジスタＱ１とツェナーダイオードＤ１とを含む。トランジスタＱ１は、エミッタが５Ｖ電源回路及び５Ｖ電源ライン１７に接続され、コレクタがＨＤＭＩ受信部１１の５Ｖ電源端子に接続され、ベース（制御電極）がツェナーダイオードＤ１のカソードに接続されている。ツェナーダイオードＤ１のアノードは接地電位に接続されている。ＡＶアンプ１０の５Ｖ電源回路から５Ｖ電源ライン１７に５Ｖ電源電圧が供給されず、ディスプレイ装置２０の５Ｖ電源ライン２７またはＤＤＣライン２６から５Ｖ電源ライン１７に電源電圧が供給される場合には、トランジスタＱ１がオフ状態になり、５Ｖ電源ライン１７からＨＤＭＩ受信部１１の５Ｖ電源端子への経路が断たれることで、５Ｖ電源端子に電源電圧が供給されることが阻止される。一方、ＡＶアンプ１０の５Ｖ電源回路から５Ｖ電源ライン１７に５Ｖ電源電圧が供給される場合には、トランジスタＱ１がオン状態になり、５Ｖ電源ライン１７からＨＤＭＩ受信部１１の５Ｖ電源端子への経路が形成されることにより、５Ｖ電源端子に５Ｖ電源電圧が供給されることが許可される。
【００３５】
詳細には、ツェナーダイオードＤ１は、アノード電位（接地電位）を基準にしたカソード電位が導通開始電圧（ツェナー電圧、例えば３．６Ｖ）未満のとき、カソードからアノードに電流が流れず（すなわち、オン状態にならず）、トランジスタＱ１はエミッタからベースに電流が流れずにオフ状態になる。一方、アノード電位に対するカソード電位が導通開始電圧以上のとき、カソードからアノードに電流が流れ（すなわち、オン状態になり）、トランジスタＱ１はエミッタからベースに電流が流れ、オン状態になる。
【００３６】
従って、トランジスタＱ１をオン状態にするための条件は、トランジスタＱ１のエミッタ電位が、ツェナーダイオードＤ１の導通開始電圧（３．６Ｖ）にトランジスタＱ１の導通開始電圧（例えば０．６Ｖ）を加算した電圧（４．２Ｖ）以上となることである。
【００３７】
ここで、ＡＶアンプ１０が電源オフ状態であり、５Ｖ電源回路からトランジスタＱ１のエミッタに５Ｖ電源電圧が供給されず、ディスプレイ装置２０の５Ｖ電源ライン２７および／またはＤＤＣライン２６からトランジスタＱ１のエミッタに電源電圧が供給される場合、ディスプレイ装置２０の５Ｖ電源回路（または３．３Ｖ電源回路）からの５Ｖ電源電圧（または３．３Ｖ電源電圧）は抵抗Ｒ２１、Ｒ２２等で電圧降下されることにより、例えば、約１．５Ｖ〜２．５Ｖの電源電圧が供給される。従って、トランジスタＱ１のエミッタ電位が、トランジスタＱ１をオン状態にするため条件（４．２Ｖ以上）を満足しないので、トランジスタＱ１はオフ状態になる。その結果、ディスプレイ装置２０の５Ｖ電源ライン２７またはＤＤＣライン２６からの電源電圧が、ＨＤＭＩ受信部１１の５Ｖ電源端子に供給されることが阻止される。
【００３８】
また、５Ｖ電源回路からの５Ｖ電源電圧がトランジスタＱ１のエミッタに供給される場合には、トランジスタＱ１のエミッタ電位は約５Ｖになるので、トランジスタＱ１をオン状態にするため条件（４．２Ｖ以上）を満足し、トランジスタＱ１がオン状態になる。その結果、５Ｖ電源回路からからの５Ｖ電源電圧は、トランジスタＱ１を介してＨＤＭＩ受信部１１の５Ｖ電源端子に供給される。
【００３９】
以上の構成を有することによって、ＡＶアンプ１０が電源オフ状態であれば、トランジスタＱ１がオフ状態になるので、ＡＶアンプ１０に接続されているディスプレイ装置２０が電源オン状態であっても、ディスプレイ装置２０の５Ｖ電源ライン２７またはＤＤＣライン２６からの電源電圧（約１．５〜２．５Ｖ）がＨＤＭＩ受信部１１の５Ｖ電源端子に供給されない。そして、ＡＶアンプ１０が電源オン状態になると、トランジスタＱ１がオン状態になるので、ＡＶアンプ１０の５Ｖ電源回路からの５Ｖ電源電圧がＨＤＭＩ受信部１１の５Ｖ電源端子に供給される。その結果、ＡＶアンプ１０が電源オン状態になると、ＨＤＭＩ受信部１１は正常にリセット動作を実行することができ、正常に制御部１３と通信を開始することができる。
【００４０】
なお、ＨＤＭＩ受信部１１の代わりにＨＤＭＩ送信部１２が５Ｖ電源端子を有し、５Ｖ電源端子に５Ｖ電源電圧が供給開始されると、リセット動作を実行するものである場合には、図２に示すように、供給制御手段１８がＨＤＭＩ送信部１２の５Ｖ電源端子に接続されるとよい。ＨＤＭＩ受信部１１とＨＤＭＩ送信部１２とが１つの部品で構成される場合にも同様に適用される。また、ＨＤＭＩ受信部１１の代わりに制御部１３が５Ｖ電源端子を有し、５Ｖ電源端子に５Ｖ電源電圧が供給開始されると、リセット動作を実行するものである場合には、図３に示すように、供給制御手段１８が制御部１３の５Ｖ電源端子に接続されるとよい。これらを総称するために、ＨＤＭＩ受信部１１、ＨＤＭＩ送信部１２および制御部１３等の５Ｖ電源端子を有する回路を総称して本発明では電子回路と定義する。
【００４１】
以上、本発明の好ましい実施形態を説明したが、本発明はこれらの実施形態には限定されない。本発明のコンテンツ送信装置はＤＶＤプレーヤ等のソース機器でもよい。この場合、コンテンツ受信装置は、ディスプレイ装置などのシンク機器でもよく、ＡＶアンプなどのリピータ機器でもよい。また、本発明は、ディスプレイ装置２０内のＨＤＭＩ受信部が５Ｖ電源端子を有する場合に、ディスプレイ装置２０に適用されてもよい。この場合、ディスプレイ装置２０内の供給制御手段が、ＡＶアンプ等のリピータ機器やＤＶＤプレーヤ等のソース機器の５Ｖ電源ラインまたはＤＤＣラインから供給される電源電圧がディスプレイ装置内のＨＤＭＩ受信部の５Ｖ電源端子に供給されることを阻止するとよい。つまり、本発明でいう電子機器がディスプレイ装置であり、第２電子機器がＤＶＤプレーヤやＡＶアンプ等でもよい。
【産業上の利用可能性】
【００４２】
本発明は、ＡＶアンプ、ＤＶＤプレーヤ等に好適に採用され得る。
【符号の説明】
【００４３】
１０            ＡＶアンプ
１１            ＨＤＭＩ受信部
１２            ＨＤＭＩ送信部
１３            制御部
１４            コネクタ
１５            コネクタ
１６            ＤＤＣライン
１７            ５Ｖ電源ライン
１８            供給制御手段
【図１】
2011164943.tif 000003
【図２】
2011164943.tif 000004
【図３】
2011164943.tif 000005
【図４】
2011164943.tif 000006
【図５】
2011164943.tif 000007
【図６】
2011164943.tif 000008
【図７】
2011164943.tif 000009
【図８】
2011164943.tif 000010